(57)【要約】【課題】周囲が静かでない環境下においても、一般の人に間仕切り壁の遮音性能を容易に理解し納得してもらうことができる、間仕切り壁の遮音性能を表現する装置を提供する。【解決手段】第１室８と第２室９とが一般の間仕切り壁４で仕切られると共に、前記第１室８と第３室１０とが一般の間仕切り壁４とは遮音性能を異にする千鳥式間仕切り壁５で仕切られ、第１室８に音源としての鐘８が吊られると共に、第２室９と第３室１０とにそれぞれ水１１，１１が水面１１ａ，１１ａを見せるように収容され、第１室８内の鐘１２の発する音の振動が、一般の間仕切り壁４を通じて第２室９の水１１に伝えられると共に、千鳥式間仕切り壁５を通じて第３室１０の水１１に伝えられるようになされている。【選択図】      図１
2006047436.tif 000002
【特許請求の範囲】
【請求項１】
第１室と第２室とが間仕切り壁で仕切られ、第２室に水が水面を見せるように収容され、第１室で発せられる振動が間仕切り壁を通じて第２室の水に伝えられるようになされていることを特徴とする間仕切り壁の遮音性能を表現する装置。
【請求項２】
第１室と第２室とが第１間仕切り壁で仕切られると共に、前記第１室と第３室とが第１間仕切り壁とは遮音性能を異にする第２間仕切り壁で仕切られ、
第２室と第３室とにそれぞれ水が水面を見せるように収容され、第１室で発せられる振動が、第１間仕切り壁を通じて第２室の水に伝えられると共に、第２間仕切り壁を通じて第３室の水に伝えられるようになされていることを特徴とする間仕切り壁の遮音性能を比較して表現する装置。
【請求項３】
第１、第２の間仕切り壁が、それら遮音構造の違いを外から目視できるように備えられている請求項２に記載の間仕切り壁の遮音性能を比較して表現する装置。
【請求項４】
第１室と第２室とが間仕切りで仕切られ、第２室に水が水面を見せるように収容され、第１室で発せられる振動が間仕切りを通じて第２室の水に伝えられるようになされていることを特徴とする間仕切りの遮音性能を表現する装置。
【発明の詳細な説明】
【技術分野】
【０００１】
本発明は、間仕切り壁の遮音性能を表現する装置に関する。
【背景技術】
【０００２】
例えば、住宅用等の建物の屋内などで用いられる間仕切り壁の遮音性能を一般の人に理解してもらう方法として、間仕切り壁を挟む一方の側に音源を設置すると共に、もう一方の側に人に立ってもらい、音源から発する音を間仕切り壁を挟んで聞いてもらう方法がある。
【発明の開示】
【発明が解決しようとする課題】
【０００３】
しかしながら、周囲が静かでないところでは、人の聴覚能力が発揮されにくく、上記のような方法を実施するためには、音に関する高度の環境整備をしておかなければならず、コストが高くつくという問題がある。
【０００４】
本発明は、上記のような問題点に鑑み、周囲が静かでない環境下においても、一般の人に間仕切り壁等の遮音性能を容易に理解し納得してもらうことができる、間仕切り壁等の遮音性能を表現する装置を提供することを課題とする。
【課題を解決するための手段】
【０００５】
上記の課題は、第１室と第２室とが間仕切り壁で仕切られ、第２室に水が水面を見せるように収容され、第１室で発せられる振動が間仕切り壁を通じて第２室の水に伝えられるようになされていることを特徴とする間仕切り壁の遮音性能を表現する装置によって解決される。
【０００６】
この装置では、第１室で振動が発せられると、その振動によって第２室の水の水面に波立ちを生じる。この波立ちの大きさを目で観察することによって、間仕切り壁の遮音性能の把握が可能であり、周囲が静かでない環境下においても、間仕切り壁の遮音性能を容易に把握することができる。
【０００７】
また、上記の課題は、第１室と第２室とが第１間仕切り壁で仕切られると共に、前記第１室と第３室とが第１間仕切り壁とは遮音性能を異にする第２間仕切り壁で仕切られ、
第２室と第３室とにそれぞれ水が水面を見せるように収容され、第１室で発せられる振動が、第１間仕切り壁を通じて第２室の水に伝えられると共に、第２間仕切り壁を通じて第３室の水に伝えられるようになされていることを特徴とする間仕切り壁の遮音性能を比較して表現する装置によっても同様に解決される。
【０００８】
特にこの装置では、遮音性能の互いに異なる第１，第２の間仕切り壁の遮音性能を、第２室に収容された水の水面の波立ちと、第３室に収容された水の水面の波立ちの違いを見比べならがら比較することができ、各間仕切り壁の遮音性能の違いを容易に理解することができる。
【０００９】
また、第１、第２の間仕切り壁が、それら遮音構造の違いを外から目視できるように備えられている場合は、遮音構造の違いによる遮音性能の違いを目で見てリアルに詳しく理解することができる。
【００１０】
更に、上記の課題は、第１室と第２室とが間仕切りで仕切られ、第２室に水が水面を見せるように収容され、第１室で発せられる振動が間仕切りを通じて第２室の水に伝えられるようになされていることを特徴とする間仕切りの遮音性能を表現する装置によって解決される。
【００１１】
即ち、本装置では、間仕切りは、壁に限らず、階上の室と階下の室との間を仕切る床であってもよいし、屋内と屋外との間を仕切る外壁であってもよいし、その他の間仕切りであってもよく、第２室の水の水面に波立ちの大きさを目で観察することによって、周囲が静かでない環境下においても、そのような各種間仕切りの遮音性能の把握が可能である。
【発明の効果】
【００１２】
本発明は、以上のとおりのものであるから、周囲が静かでない環境下においても、一般の人に間仕切り壁等の遮音性能を容易に理解し納得してもらうことができる。
【発明を実施するための最良の形態】
【００１３】
次に、本発明の実施最良形態を図面に基づいて説明する。
【００１４】
図１に示す表現装置１は、第１間仕切り壁としての一般の間仕切り壁４の遮音性能と、第２間仕切り壁としての千鳥式間仕切り壁５の遮音性能を比較して表現するものである。
【００１５】
いずれの間仕切り壁４，５も、面材７，７間に横桟６…が入れられたものであるが、一般の間仕切り壁４は、一方の面材７の側の横桟６…ともう一方の面材７の側の横桟６…とが重なるように備えられているのに対し、千鳥式間仕切り壁５は、一方の面材７の側の横桟６…ともう一方の面材７の側の横桟６…とが重なることなく千鳥状に備えられて遮音性能が高められており、横桟６…の入れ方の違いによって遮音性能が異ならされている。
【００１６】
表現装置１は、基台２の上に、内部を透視できる密閉された横長の容器３が設置され、該容器３内が上記の二つの間仕切り壁４，５によって、中央の第１室８と、左右の第２室９、第３室１０の３室に仕切られ、その状態で、両間仕切り壁４，５の遮音構造の違い、即ち、横桟６…の配列の違いを外から目視できるようになされている。
【００１７】
そして、第１室８に音源としての鐘１２が吊られ、第２室９と第３室１０とにそれぞれ水１１，１１が水面１１ａ，１１ａを見せるように収容されている。更に、第１室８の正面側の容器壁には孔１３が明けられ、そこに鐘１２を突く鐘突き棒１４が設置され、該鐘突き棒１４は、手前側に引いて離すという操作を行うことで、図示しないバネの付勢力により内方に進出し、鐘１２が鳴るようになされて、鐘１２の発する音の振動が、一般の間仕切り壁４を通じて第２室９の水１１に伝えられると共に、千鳥式間仕切り壁５を通じて第３室の水１１に伝えられるようになされている。また、第２室９と第３室１０の各水面１１ａ，１１ａには、水面１１ａ，１１ａの波立ち具合をわかりやすくする表現するミニチュアヨット１５，１５などの浮きが浮かばされている。
【００１８】
上記の装置１は、例えば、住宅等の建築物体験施設等に展示され、図２（イ）に示すように、人１６が鐘突き棒１４を手前に引っ張り、図２（ロ）に示すように、鐘突き棒１４を離すと、鐘１２が鳴り、鐘１２の音の振動が、両間仕切り壁４，５を通して第２室９と第３室１０の各水１１，１１に伝えられ、一般の間仕切り壁４が面する第２室９の水１１の水面１１ａは大きく波立ち、千鳥式間仕切り壁５が面する第３室１０の水１１の水面１１ａはわずかに波立つという現象を生じる。この波立ちの違いを目で見ることにより、各間仕切り壁４，５の遮音性能の違い、即ち千鳥式間仕切り壁５が高い遮音性能を持っていることを、一般の人であっても容易に理解することができ、しかも、この理解を得るために周囲が静かである必要もない。また、それを各間仕切り壁４，５の遮音構造を目で確認しながら行うことができ、遮音性能のリアルで詳しい理解を得ることができる。
【００１９】
以上に、本発明の実施形態を示したが、本発明はこれに限られるものではなく、発明思想を逸脱しない範囲で各種の変更が可能である。例えば、上記の実施形態では、遮音性能の異なる２つの間仕切り壁で室を３つに仕切って各間仕切り壁の遮音性能を比較できるようになされている場合を示したが、特定の遮音性能を備えた１つの間仕切り壁で室を２つに仕切った装置に構成してもよく、その場合であっても、静かでない環境下において、その間仕切り壁の遮音性能を目で見て把握することができる。また、使用する間仕切り壁は、上記のような一般の間仕切り壁４や千鳥式間仕切り壁５に限られるものではなく、その他の間仕切り壁であってもよい。また、上記の表現装置において、第４室を備えさせ、第４室と第１室とを第３の間仕切り壁で仕切る構造となされていてもよく、間仕切り壁や室の数に制限はない。また、間仕切り壁のほか、床や外壁等の間仕切りの遮音性能表現装置として構成してもよい。また、音源は、上記のような鐘に限らず、スピーカー等であってもよいし、そのような音源装置に限らず、第１室で間仕切り等をハンマー等で叩くことにより、振動を発するようになされたものであってもよい。
【図面の簡単な説明】
【００２０】
【図１】実施形態の表現装置を示す斜視図である。
【図２】図（イ）及び図（ロ）は装置の使用方法を順次に示す斜視図である。
【符号の説明】
【００２１】
１…表現装置
４…一般の間仕切り壁（第１間仕切り壁、間仕切り）
５…千鳥式間仕切り壁（第２間仕切り壁、間仕切り）
８…第１室
９…第２室
１０…第３室
１１…水
１１ａ…水面
【図１】
2006047436.tif 000003
【図２】
2006047436.tif 000004